(57)【要約】【課題】データ欠損のない監視が可能であり且つ過去の履歴のトレンドなどの情報を表示する。【解決手段】現在の日時に対応して該現在日時データを更新する実時間クロックを備え、実時間クロックから得られる現在日時データとに基づいて、予め定められた日時区分ごとの積算流量データを求め、これを日時区分に対応付けて記憶する記憶手段を備えた流量計に接続する監視装置である。監視装置は、流量計から日時区分ごとの積算流量データと、現在の流量とを受け付けて、日時区分ごとの前記積算流量データに基づいて、現在の日時を含む日時区分や他の連続する複数の日時区分を有ごとの積算流量データに基づき各々の日時区分に対応する積算流量をグラフ表示する。【選択図】図5
2020109359.tif 000002
【特許請求の範囲】
【請求項１】
外部電源から供給される電力により動作し、配管内の流体の流量を測定する流量測定手段と、
外部電源から電力が供給されないときにも電力を提供する電源回路に接続され、外部電源から電力が供給されるかにかかわらず、現在日時データを保持し、現在の日時に対応して該現在日時データを更新する実時間クロックと、
前記流量測定手段により測定される流量と、前記実時間クロックから得られる現在日時データとに基づいて、予め定められた日時区分ごとの積算流量データを算出する算出手段と、
算出された日時区分ごとの前記積算流量データを日時区分に対応付けて記憶する記憶手段と、を備える流量計に接続する流体流量の監視装置であって、
前記記憶手段に記憶された日時区分ごとの前記積算流量データと、前記流量測定手段により測定される流量と、を前記流量計から受け付ける手段と、
前記記憶手段に記憶された日時区分ごとの前記積算流量データに基づいて、現在の日時を含む日時区分と、当該日時区分に連続する複数の日時区分を有し、前記複数の日時区分のうち過去の日時区分には、前記予め定められた日時区分ごとの積算流量データに基づき各々の日時区分に対応する積算流量をグラフ表示する積算流量グラフ画面を生成する画面生成手段と、
前記積算流量グラフ画面を表示する表示部とを備える流体流量の監視装置。
【請求項２】
前記積算流量グラフ画面に対応したテンプレート部位品が予め用意されている、請求項１に記載の流体流量の監視装置。
【請求項３】
表示対象とする１又は複数の流量計を指定するための監視画面設定データを更に有し、前記監視画面設定データに基づいて指定された各流量計のモニタを開始する際に、各流量計の記憶手段に記憶された日時区分ごとの前記積算流量データを読み出す、請求項１又は２に記載の流体流量の監視装置。
【請求項４】
前記表示部で表示中に、前記流量測定手段により測定される流量に基づく現在積算流量データをグラフ表示し、前記流量計からの受付が中断したのち再開する際に、各流量計の記憶手段に記憶された前記積算流量データを読み出す、請求項１〜３のいずれか一項に記載の流体流量の監視装置。
【請求項５】
前記画面生成手段は、ユーザが日、月、年を含むグループから１を選択した表示範囲の前記積算流量グラフ画面を生成する、請求項１〜４のいずれか一項に記載の流体流量の監視装置。
【請求項６】
複数の前記流量計からの各流量計の記憶手段に記憶された前記積算流量データが前記表示部に同時にグラフ表示される、請求項１〜５のいずれか一項に記載の流体流量の監視装置。
【請求項７】
複数の前記流量計の前記積算流量が比較表示される、請求項１〜６のいずれか一項に記載の流体流量の監視装置。
【請求項８】
前記各流量計が計測した現在の瞬時流量を受け付けて、該瞬時流量の数字表示と前記積算流量をグラフ表示とが前記表示部に同時に表示される、請求項１〜５のいずれか一項に記載の流体流量の監視装置。
【請求項９】
前記表示部において、単位の異なる２つの表示軸でグラフ表示が可能である、請求項１〜８のいずれか一項に記載の流体流量の監視装置。
【請求項１０】
前記流量計は、前記日時区分ごとの積算リーク量データを日時区分に対応付けて記憶する第２の記憶手段を更に有し、
前記画面生成手段は、前記第２の記憶手段に記憶された日時区分ごとの前記積算リーク量データに基づいて、各々の日時区分に対応する積算リーク量を表示するリーク量画面を生成する、請求項１に記載の監視装置。
【発明の詳細な説明】
【技術分野】
【０００１】
本発明は流体流量の監視装置に関する。
【背景技術】
【０００２】
特許文献１は、表示部を備えた流量計を開示しており、この流量計の表示部には、例えば測定した瞬時流量が数値表示される。この流量計が工場内に複数設置された場合、これを監視する装置に例えばＰＬＣが組み込まれる。
【０００３】
特許文献２はＰＬＣを使った監視装置を開示しており、その中で流量計が計測した流量を表示する監視画面を開示している。
【先行技術文献】
【特許文献】
【０００４】
【特許文献１】特開２００４−３４７３５２号公報
【特許文献２】特開２０１７−１４６８０３号公報
【発明の概要】
【発明が解決しようとする課題】
【０００５】
工場内には、圧縮空気を駆動源とした設備が多くみられる。工場内に敷設された配管を通じてコンプレッサから工場内設備に圧縮空気が供給されるが、その際、コンプレッサに対し、生成される圧縮空気に相応した電力エネルギが投じられている。工場で使用されるエネルギを適切に管理のためには、使用される圧縮空気の管理も重要な要素の１つとなる。
【０００６】
使用される圧縮空気を定量的に管理するためには、特許文献１に開示のような流量計が配管の適切な場所に配置すると共に、複数の流量計をネットワークに接続し、上位装置で各流量計の計測データを集計する統合システムが構築される。
【０００７】
しかしながら、流量計の計測データを長期にわたり上位装置で収集するためには、上位装置を常時接続して稼働させておく必要がある。上位装置の動作を例えば深夜や休日、休止した場合や流量計との接続に不具合が生じた場合、収集データに欠損部分が発生する。
【０００８】
本発明の目的は、データデータ欠損のない監視が可能であり且つ過去の履歴のトレンドなどの情報を表示する流体流量の監視装置を提供することにある。
【課題を解決するための手段】
【０００９】
上記の技術的課題は、本発明によれば、
外部電源から供給される電力により動作し、配管内の流体の流量を測定する流量測定手段と、
外部電源から電力が供給されないときにも電力を提供する電源回路に接続され、外部電源から電力が供給されるかにかかわらず、現在日時データを保持し、現在の日時に対応して該現在日時データを更新する実時間クロックと、
前記流量測定手段により測定される流量と、前記実時間クロックから得られる現在日時データとに基づいて、予め定められた日時区分ごとの積算流量データを算出する算出手段と、
算出された日時区分ごとの前記積算流量データを日時区分に対応付けて記憶する記憶手段と、を備える流量計に接続する流体流量の監視装置であって、
前記記憶手段に記憶された日時区分ごとの前記積算流量データと、前記流量測定手段により測定される流量と、を前記流量計から受け付ける手段と、
前記記憶手段に記憶された日時区分ごとの前記積算流量データに基づいて、現在の日時を含む日時区分と、当該日時区分に連続する複数の日時区分を有し、前記複数の日時区分のうち過去の日時区分には、前記予め定められた日時区分ごとの積算流量データに基づき各々の日時区分に対応する積算流量をグラフ表示する積算流量グラフ画面を生成する画面生成手段と、
前記積算流量グラフ画面を表示する表示部とを備える流体流量の監視装置を提供することにより達成される。
【００１０】
本発明の監視装置に接続される流量計は、実時間を刻むクロックを備えている。そして、このクロックの時刻情報は、計測した流量と対応付けて記憶される。すなわち、流量計は、日時区分ごとの積算流量データが日時区分に対応付けて記憶されている。これにより、例えば任意の一定期間の履歴を表す情報、つまり積算流量などを生成するのが容易である。これを監視装置として例えば監視用の専用プログラムがインストールされたパーソナルコンピュータ（ＰＣ）で受け取って、流量計からの情報に基づいて積算流量グラフ画面を生成し、これを表示する。
【００１１】
したがって、ＰＣは常時接続させておく必要はない。また、ＰＣは、必要な時にネットワークに接続し、そして、流量計から受け取った情報に基づいて表示画面を作成し、これを表示することができる。したがって、ＰＣはデータ欠損無しに過去の履歴を表示することができる。
【００１２】
この過去の履歴は、流量計において、時刻情報に関連付けたデータの集積に基づいて、流量計の内部で生成することができる。したがって、ＰＣは、ユーザが求める任意の期間の積算使用量を表示部に表示させることができる。ユーザは、例えば昨日の積算流量と今日の積算流量と比較できる表示画面を見ることにより、昨日と今日との使用量の違いを知ることができる。また、一週間前の例えば月曜日と、今週の月曜日の夫々の積算流量をＰＣで同時に表示させることにより、使用状況のトレンドを知ることができる。
【００１３】
本発明の作用効果及び更なる目的は以下の本発明の好ましい実施例の詳しい説明から明らかになろう。
【図面の簡単な説明】
【００１４】
【図１】本発明を適用したクランプオン型超音波式気体流量計を配管に装着した状態を示す斜視図である。
【図２】図１に図示の気体流量計のセンサ本体の断面図である。
【図３】センサ本体から表示部を離した状態で表示部を使用する使用形態を説明するための斜視図である。
【図４】図４は、センサ本体及び表示部の内部構造を説明するための図である。
【図５】表示部の機能ブロック図である。
【図６】メモリでの表示データ収集を説明するための図である。
【図７】差分算出及び桁あふれ処理を例示的に説明するための図である。
【図８】表示部の表示デバイスであるカラー液晶を使った表示の概要を説明するための図である。
【図９】カラー液晶のメイン表示領域に表示される項目の例を説明するための図である。
【図１０】履歴のグラフ表示を説明するための図である。
【図１１】現在を含む表示範囲の場合の各時間区分のグラフ表示を説明するための図である。
【図１２】カラー液晶の上部に表示されるヘッダ表示領域を説明するための図である。
【図１３】カラー液晶の下部に表示されるフッタ表示領域を説明するための図である。
【図１４】瞬時流量を表示する表示画面を示す図である。
【図１５】使用量のグラフと数値を同時に表示する表示画面を示す図である。
【図１６】使用量を表示する表示画面を示す図である。
【図１７】使用量比較グラフと比較率を同時表示する表示画面を示す図である。
【図１８】プラス方向、マイナス方向の使用量を棒グラフと数値で表示する表示画面を示す図である。
【図１９】表示切り替えを説明するための図である。
【図２０】リーク量をグラフと数値で表示する表示画面を示す図である。
【図２１】使用量とリーク量とを同時に表示する表示画面を示す図である。
【図２２】リーク率を表示する表示画面を示す図である。
【図２３】計測した流量に基づいて基準リーク量を決定し、これに基づいて設備稼働中を含むリーク量を求める工程を示すタイムチャートである。
【図２４】基準リーク量を決定するリーク量決定モードでの処理の概念図である。
【図２５】基準リーク量を求める手順を説明するためのフローチャートである。
【図２６】複数の流量計をネットワークによりＰＣと接続して、各流量計に記憶されているデータに基づいて該ＰＣの表示画面が生成される全体システム図である。
【図２７】専用のプログラムをインストールした監視用ＰＣでユーザが作成した監視画面を示す。
【図２８】専用のプログラムをインストールした監視用ＰＣで作成したグラフ表示の一例を説明するための図である。
【図２９】専用のプログラムをインストールした監視用ＰＣで作成したグラフ表示の他の例を説明するための図である。
【図３０】監視用ＰＣにインストールした専用プログラムに用意されているテンプレートの一例を説明するための図である。
【図３１】監視用ＰＣにインストールした専用プログラムに用意されている編集機能を説明するための図である。
【発明を実施するための形態】
【実施例】
【００１５】
以下に、添付の図面に基づいて本発明の実施例を説明する。図１は、本発明を適用したクランプオン型超音波式気体流量計を配管に装着した状態を示す斜視図であり、図２は、図１に図示の気体流量計のセンサ本体の断面図である。図３は、センサ本体から表示部を離した状態で表示部を使用する使用形態を説明するための斜視図である。
【００１６】
実施例のクランプオン型超音波式気体流量計Ｆmは、圧縮空気、窒素ガスの流量測定に好適に適用されるように設計されている。圧縮空気を例に説明すれば、工場内において圧縮空気を作動源とする作動機器に対して、コンプレッサで圧縮された空気を貯蔵するタンクから各作動機器に供給する配管Ｐに対して気体流量計Ｆmが後付けで設置される。
【００１７】
気体流量計Ｆmは、配管Ｐに設置されるセンサ本体２と表示部４とを有し、表示部４はセンサ本体２とは別の筐体を有している。すなわち、気体流量計Ｆmは分離型であり、センサ本体２と表示部４とが別体構造である。そして、表示部４はセンサ本体２に対して脱着可能である。勿論のことであるが、気体流量計Ｆmは、センサ本体２と表示部４とを例えば一つの筐体で構成した一体型であってもよい。
【００１８】
センサ本体２は、配管Ｐの中を流れる気体の流量を計測する機能を有し、図２を参照して超音波を送受信する第１、第２の超音波素子６、８を内蔵している。すなわち、第１、第２の超音波素子６、８は共通の本体筐体１０の内部に固定的に配置されている。第１、第２の超音波素子６、８は典型的には圧電素子で構成される。
【００１９】
図２を参照して、クランプオン型超音波式気体流量計Ｆmは、センサ本体２に内蔵した第１、第２の超音波素子６、８が、配管Ｐの母線上において、配管Ｐの軸線Ａxの方向に離間して配置される。すなわち、センサ本体２は、いわゆるＶ配置方式あるいは反射配置のクランプオン型流量計である。図中、参照符号Ｕsは、第１、第２の超音波素子６、８間で送受される超音波信号の経路を模式的に表したものである。図示のように、センサ本体２は、配管Ｐを横断するように超音波を出射するものであってもいが、これに限定されない。配管Ｐの管壁において、好ましくはLamb波や板波等の配管壁の固有振動モードを生成するものであってもよい。勿論、この場合には、図示の経路Ｕsは模式的に図示したものであると理解されたい。
【００２０】
変形例として、センサ本体２に含まれる第１、第２の超音波素子６、８を配管Ｐを挟んで互いに対向して配置してもよい。具体的には、配管Ｐの第１母線上に第１超音波素子６を配置し、第１母線と直径方向に対向する第２母線上に第２超音波素子８を配置する、いわゆるＺ配置方式の流量計に対しても本発明を好適に適用可能である。
【００２１】
センサ本体２は、第１超音波素子６に隣接して第１くさび部材１２を含み、また、第２超音波素子８に隣接して第２くさび部材１４を含んでいる。また、センサ本体２は、第１、第２のくさび部材１２、１４に、夫々、隣接して、第１、第２のカプラント１６、１８を好ましくは含み、第１、第２のカプラント１６、１８で配管Ｐに対する接触部を構成するのがよい。設置作業性を向上する上で、好ましくは、第１、第２のカプラント１６、１８を固体のカプラントで構成するのがよく、第１、第２のカプラント１６、１８と配管Ｐとの間にグリスを介在させてもよいが、好ましくはグリス無しであるがのよい。
【００２２】
図中、参照符号２０はダンピング部材を示す。ダンピング部材２０は、適度な可撓性を備え且つ、好ましくは、所定の厚みを有するシート状の成形品である。ダンピング部材２０は粘弾性を有し、また、金属製の配管Ｐに対して密着性と剥離性を有しているのが好ましい。ダンピング部材２０は、作業者が手でなぞることで配管Ｐの周囲に沿って容易に変形可能である。
【００２３】
ダンピング部材２０は、センサ本体２に隣接して配置され、配管Ｐに接した状態で且つ配管Ｐの周囲を取り囲むようにして配置されている。そして、ダンピング部材２０は、その外周を包囲するダンピング取付具２２によって配管Ｐに固定され、また、ダンピング取付具２２によって配管Ｐに対して押圧されている。すなわち、ダンピング取付具２２は、ダンピング部材２０に対する保圧機能を維持し続ける。
【００２４】
センサ本体２に内蔵される第１、第２の超音波素子６、８は、配管Ｐの軸線Ａxの方向に例えば１〜１５cm、好ましくは２〜６cmの離間距離に固定的に設定されている。
【００２５】
ダンピング部材２０及びダンピング取付具２２は空所の第１、第２のダンピング窓２４、２６を有し、この第１、第２のダンピング窓２４、２６は、第１、第２のカプラント１６、１８に対応した位置に位置決めされている。
【００２６】
図１、図３を参照して、表示部４は、３本の防水性のケーブル３０、３２、３４が接続される。第１ケーブル３０は、表示部４に電源（例えばＤＣ２４Ｖ）を供給する電源ケーブルと、瞬時流量に対応したアナログ信号を表示部４から外部に供給する第１出力ケーブル、積算流量に対応したパルス信号を表示部４から外部に供給する第２出力ケーブル、しきい値との比較結果であるＯＮ/ＯＦＦ信号を表示部４から外部に供給する第３出力ケーブルを含んでいる。第２ケーブル３２は産業送信ケーブルであり、例えばEthernetIＰ通信ケーブルやEtherCAT（登録商標）通信ケーブル、監視装置、外部ＰＣとの通信ケーブル、対象気体の流量を表示部４から外部に供給するケーブルを含んでいる。第３ケーブル３４は、センサ本体２と接続するためのケーブルであり、表示部４を介してセンサ本体２に電源を供給するケーブル、センサ本体２に対して設定情報を提供するケーブル、センサ本体２から測定流量データを表示部２に供給するケーブルを含んでいる。
【００２７】
引き続き図１、図３を参照して、表示部４は、その表示部筐体を構成する防水・防塵ケース３６を有し、防水・防塵ケース３６は、センサ本体２とは別体である。表示部４は、防水・防塵対策が施された表示デバイスとしてのカラー液晶３８、防水処理が施されたメニューボタン４０、防水・防塵処理が施された操作ボタン４２を更に有し、操作ボタン４２は、カラー液晶３８に表示されているメニューやアイコンの選択などに用いられる選択機能と決定（ＳＥＴ）機能が与えられている。表示部４は、ＵＳＢポート４４を更に有し、このＵＳＢポート４４は図外の蓋を閉めることにより防水・防塵することができる。ＵＳＢポート４４は、モニタ用及び／又は設定用の外部パーソナルコンピュータ（ＰＣ）４６（図４）との接続に用いられる。
【００２８】
表示部４は、図１を参照して、取付具Ｆを介してセンサ本体２に位置決め固定される。表示部４は、好ましくはその背面に係止孔Ｈ（図３）を備えているのがよい。取付具Ｆは、表示部４に対して脱着可能であり、また、センサ本体２に対して脱着可能である。表示部４をセンサ本体２から離脱させたときに、表示部４を例えば柱などの釘に係止孔Ｈを使って係止させた状態で使用するのが望ましい。
【００２９】
図４は、センサ本体２及び表示部４の内部構造を説明するための図である。図４を参照して、センサ本体２は、流量計測の制御部を構成するマイクロプロセッサ４８、第１、第２の超音波素子６、８の照射を制御する超音波素子駆動回路５０を含み、この超音波素子駆動回路５０には昇圧回路５２から超音波素子６（８）の駆動電圧が供給される。超音波素子駆動回路５０の出力は切替回路５４を経由して順次第１、第２の超音波素子６、８に供給される。切替回路５４は、第１、第２の超音波素子６、８の照射制御と同期して切替制御される。切替回路５４を経由することで、往路送信状態においては、第１の超音波素子４が送信器とし機能し、第２の超音波素子８を受信器として機能する。同様に、復路送信状態においては、第２の超音波素子８が送信器とし機能し、第１の超音波素子６が受信器として機能する。
【００３０】
各超音波素子６、８からの出力は上記切替回路５４を経由して受信回路５６に供給される。受信回路５６は電気信号を増幅し、増幅されたアナログ信号はA/D変換器５８でデジタル信号に変換されてマイクロプロセッサ４８に入力される。マイクロプロセッサ４８は、所定のプログラムが記憶されたメモリ６０と交信して所定の処理を実行する。
【００３１】
配管Ｐを流れる流量を演算するために、この演算に必要とされる情報はメモリ６０に記憶されている。マイクロプロセッサ４８は、典型的には、往路受信波形と復路受信波形とを、それぞれの出射時点の時刻を原点として位置合わせし、この位置合わせした状態から時間方向に相対的に変位させながら波形形状マッチングを行う。マッチング度が極大になる時間シフト量を伝播時間差として決定し、この伝播時間差に基づいて気体の流量を算出する。
【００３２】
表示部４は、センサ本体２とは別体の表示部筐体つまり防水ケース３６（図３）の中に収容されたマイクロプロセッサ６４を有し、マイクロプロセッサ６４は表示を制御する制御部を構成し、所定のプログラム及びアプリケーションが記憶されたメモリ６６と交信して所定の処理を実行する。
【００３３】
表示部４は、実時間クロックとして機能するリアルタイムクロック（ＲＴＣ）６８を更に有し、このＲＴＣ６８は、第１ケーブル３０から供給される電源によって常時動作する。変形例として、バックアップバッテリ７０を表示部４に搭載して、表示部４への電源供給が停止されても、バックアップバッテリ７０でＲＴＣ６８により実時間の時刻を刻み続けるようにしてもよい。
【００３４】
例えば配管Ｐに設置した圧力センサ７２がＵＳＢポート４４を介して接続され、配管Ｐの内部圧力値がマイクロプロセッサ６４に入力される。マイクロプロセッサ６４は、センサ本体２から受け取った流量データをロギングメモリ７４に格納する。ロギングメモリ７４は積算流量及び積算リーク量を少なくとも２年間記録できる容量を備えているのが好ましい。
【００３５】
なお、積算流量は、第１の時点から第２の時点までに配管Ｐの中を通過した気体の総量を表すもので、通常は、リセット信号が入力された時点から現在までの配管Ｐの中を通過した気体の総量を表すものである。体積流量をベースとする場合は、積算流量は、配管Ｐの中を通過した気体の体積であり、その単位は、例えば、立方メートルである。また、質量流量をベースとする場合は、積算流量は、配管Ｐの中を通過した気体の質量であり、その単位は、例えば、キログラムである。積算流量は、第１の時点から第２の時点までに配管Ｐの中を通過した気体の総量を表すものであるから、本明細書では、積算流量を「使用量」と称することもある。
【００３６】
図５は、センサ本体２と表示部４を含む流量計Ｆmの機能を説明するための図である。流量計Ｆmは、配管Ｐの中を流れる流体の流量を測定し、測定した流量（瞬時流量）を示す測定流量データを取得する流量測定エンジン８０を有している。流量測定エンジン８０は、プロセッサ４８およびプロセッサ６４により構成されており、プロセッサ４８および／またはプロセッサ６４は、流量測定エンジン８０を含む各種エンジンを構成する。
【００３７】
流量測定エンジン８０は、配管Ｐの内径などの配管条件、環境温度、配管Ｐ内部の圧力などの情報に基づいて取得した測定流量データを補正し、補正後の測定流量データを瞬時流量データとして瞬時流量バッファ８２に供給する。瞬時流量バッファ８２で一時的に保持される瞬時流量データは例えば３０ミリ秒毎に更新される。この更新サイクル時間は任意に設定可能であってもよい。
【００３８】
流量計Ｆmは、瞬時流量バッファ８２に保持された瞬時流量データに基づいて、インターフェース（図４）を経由して、瞬時流量を示すアナログ信号を外部に向けて出力する。また、流量計Ｆmは、瞬時流量バッファ８２に保持された瞬時流量データと予め設定されたしきい値との比較結果に基づいて、インターフェースを経由して、比較結果を示すオン/オフ信号を外部に向けて出力する。
【００３９】
総積算流量バッファ８４は、時間単位で区分された積算流量（使用量）を算出するための総積算流量を一時的に保持する。総積算流量は、積算流量（使用量）の一種であり、時間単位とは関連のないトリガ入力によってリセットされることのない積算流量（使用量）である。つまり、プロセッサ６４により構成されるエンジンは、総積算流量バッファ８４の総積算流量をリセットすることなく、瞬時流量バッファ８２に保持された瞬時流量データに基づく積算処理を実行し、この総積算流量バッファ８８を例えば１ミリ秒毎に更新する。この更新サイクル時間は任意に設定可能であるのが好ましい。
【００４０】
総積算流量バッファ８４の総積算流量はロギングメモリ７４に記憶される。この記憶はロギングメモリ７４の例えば１時間単位で区分された領域に且つＲＴＣ６８からの時刻に対応付けされた状態で記憶される。
【００４１】
圧縮空気のリークに関し、リーク量は、工場内装置の稼働状況、配管内圧、環境温度などの影響を受けて変動する。リーク量は、例えば、工場内の装置が休止する深夜あるいは休日に測定した流量で規定し、配管の内圧、環境温度などのパラメータを加味して、現在のリーク量が決定される。このリーク量に関し、瞬時流量バッファ８２からプロセッサ６４により構成されるエンジンでリーク量およびその積算値を求め、この積算値は総リーク積算量バッファ８６で一時的に保持された後にロギングメモリ７４に記憶される。この総リーク積算量の記憶はロギングメモリ７４の例えば１時間単位で区分された領域に且つＲＴＣ６８からの時刻に紐付けされた状態で記憶される。
【００４２】
ロギングメモリ７４は、保存フォーマットが時間区切り、つまり１時間単位で予め定められている場合には、１時間毎にログが追加される。表示処理エンジン８８は、ロギングメモリ７４に記憶されている総積算流量や総リーク積算量に基づいて日時区分毎の使用量や日時区分毎のリーク積算量等の表示画像を生成する。表示処理エンジン８８により生成された表示画像が表示部３８にて表示される。表示部３８は例えば２００ミリ秒毎に表示の更新が行われる。この表示更新サイクル時間は任意に設定可能であるのが好ましい。
【００４３】
ロギングメモリ７４での表示データ収集について図６を参照して説明すると、ロギングメモリ７４には、ＲＴＣ６８から実時間の時刻（時刻情報）が入力される。ロギングメモリ７４は例えば１時間毎に区分され且つ時間的に連なる記憶領域Ｍ(1)、Ｍ(2)、・・・、Ｍ(n)を有し、各記憶領域Ｍ(n)に、順次、総積算流量や総リーク積算量が保存される。メモリ先頭アドレスとＲＴＣ６８の時刻情報（年月日時情報）とを紐付けした状態で、対応する各記憶領域Ｍ(n)に総積算流量及び総リーク積算量が記憶される。そして各記憶領域Ｍ(n)は先頭アドレスからアドレスオフセット量と時刻オフセット量が対応付けられている。これにより所望の時刻に対して一意にメモリアドレスが決まるため、時刻検索は不要であるという利点がある。すなわち、ロギングメモリ７４に保存されているデータの中から対象データを検索するのではなく、時刻情報の年月日時とアドレスとの対応関係から対象期間のデータを抽出することができる。換言すれば、ロギングメモリ７４は、ＲＴＣ６８で実時間の年月日時つまり時刻情報で管理されており、この時刻情報つまり実時間の年月日時と保存データとが一対一で対応していることから、時刻情報とアドレスとの対応関係から対象期間のデータを抽出できるため、ユーザが設定した表示範囲つまり時間幅での履歴を表す情報、つまり積算流量などを生成するのが容易である。
【００４４】
前述したように、表示部４は、実時間クロックとして機能するリアルタイムクロック（ＲＴＣ）６８を有し、この表示部４に接続された第１ケーブル３０を経由して電源が常時供給可能であることから、ＲＴＣ６８の時刻情報に関連付けしてロギングメモリ７４に切れ目無くデータを記憶させることができる。なお、ロギングメモリ７４に記憶されているデータを例えばＳＤカードのような不揮発性の記録媒体にコピーできるようにしてもよい。
【００４５】
なお、総積算流量バッファ８４及び総リーク積算量バッファ８６において、バッファの桁数を超えた場合、０（ゼロ）から積算する桁あふれ処理が実行される。また、各区分領域Ｍ(n)毎の積算流量は、後に説明するように各時刻における総積算流量の差で求めることができるが、桁あふれの場合、差がマイナスになる。差がマイナスのときは、桁あふれが発生したとみなして総差積算量が算出される。各区分領域Ｍ(n)において桁あふれが発生すると、正確な積算流量が算出できなくなるため、最大流量で積算し続けても、また、各区分領域Ｍ(n)を大きく設定しても、当該区分領域Ｍ(n)において桁あふれが一回以下となるようなバッファサイズ（桁数）に設定するのが好ましい。例えば各区分領域Ｍ(n)が１月単位である場合、桁あふれが年単位で一回あるか無いかの程度にバッファのサイズ（桁数）を設定することで、１ヶ月に二回以上桁あふれが発生するのを防止できる。
【００４６】
差分算出及び桁あふれ処理に関して、図７を参照して、1時間毎に総積算流量をロギングする例を例示的に挙げて具体的に説明すると、例えば、2020年12月31日の1時台（1:00:00〜1:59:99）の使用量は、2020年12月31日2時台（2:00:00〜2:59:99）の総積算流量9,999,757から2020年12月31日1時台の総積算流量9,999,312の差を求め、445として算出される。また2020年12月31日2時台に総積算流量の桁あふれ（10,000,000で桁あふれ））が発生しており、3時台で総積算流量が減少しているが、桁あふれ処理により、3時台の総積算流量に10,000,000を加算して差分を求め、460として算出される。また、2020年12月31日の使用量は、2021年1月1日0時台の総積算流量13, 424（桁あふれ処理10,013,424）から2020年12月31日0時台の総積算流量9,999,156の差を求め、14,268として算出される。
【００４７】
図８を参照して、表示部４の表示デバイスであるカラー液晶３８を使った表示の概要を説明する。カラー液晶３８は矩形の形状を有し、カラー液晶３８の画面は、上下方向中央部分にメイン表示領域３８aと、その上方のヘッダ表示領域３８bと、メイン表示領域３８aの下方のフッタ表示領域３８cとが設定されている。
【００４８】
図９は、メイン表示領域３８aに表示される項目の例を説明するための図である。メイン表示領域３８aには、瞬時流量の数値が表示される瞬時流量（現在値）表示の他に、ユーザが設定した表示範囲つまり時間幅の履歴表示や、区間毎の気体使用量のグラフ表示や、区間毎の気体使用量の履歴数値表示が表示可能である。これらの表示項目は、同時に表示してもよいし、ユーザの操作に基づいて選択的に表示されてもよい。現在値と履歴とを同時に表示することで、ユーザは現状を把握しながら過去の履歴を把握することができる。ユーザが表示範囲つまり時間幅の設定を変更したときには、これに対応して直ちに履歴表示が変更される。
【００４９】
図１０は、履歴のグラフ表示を説明するための図であり、ロギングメモリ７４に格納された時刻に紐づく総積算流量に基づき、表示範囲の各時間区分（図示の例では、１時間）毎に対応する積算流量（使用量）に対応した棒グラフが表示される。図１１は、現在を含む表示範囲の場合の各時間区分のグラフ表示を説明するための図である。現在を時間区分で表示される棒グラフは、総積算流量バッファ８４で保持された総積算データとロギングメモリ７４に格納された時刻に紐づく総積算流量のうち最新の総積算流量とに基づき表示されるもので、総積算流量バッファ８４で保持された総積算データの更新に応じて時々刻々と伸びていく。つまり、２時から３時までの現在の時間区分に対応する棒グラフだけでなく、ロギングメモリ７４に格納された時刻に紐づく総積算流量により０時から２時までの過去の時間区分に対応する棒グラフが表示できる。周期性や規則性の高い時間区分で表示されるため、過去の状態との比較が容易になる。これにより、正常状態における使用量の正確な値を把握していなかったとしても、過去の状態との定量的な比較が容易になるため、例えば圧縮空気等の気体の管理が容易になる。
【００５０】
この現在を含む表示範囲の表示において、過去の期間範囲における対応する時間区分毎の履歴の棒グラフを対応する時間区分の位置に重畳表示してもよい。この重畳表示において、履歴の棒グラフとの識別を容易にする、例えば色違いや半透明表示態様を採用するのがよい。ユーザが表示範囲つまり時間幅の設定を変更したときには、ロギングメモリ７４に格納された時刻に紐づく総積算流量に基づき、直ちに、これに対応したグラフ表示に切り替えられる。
【００５１】
履歴表示に関する表示では、表示期間に対応した日付が表示される。日が選択されていれば年月日、月が選択されていれば年月、年が選択されていれば年が表示される。対象期間の表示項目の選択は、図８を参照して、メニューボタン４０と操作部４２の上下左右ボタン４２aで行うことができ、SETボタン４２ｂで選択した変更を確定することができる。
【００５２】
グラフ表示の表示範囲（時間幅）に対応した区分として、表示範囲として日が選択されていれば、当該日の１時間毎の各区分（０時台〜２４時台）の総積算量が好ましくは履歴グラフ表示として棒グラフが表示される。棒グラフに代えて線グラフで表示してもよい。また、棒グラフと線グラフとが選択可能であってもよい。表示範囲として月が選択されていれば当該月の区分つまり１日〜３１日の毎日の総積算量が棒グラフで表示される。棒グラフに代えて線グラフで表示してもよい。表示範囲として年が選択されていれば当該年の各区分つまり１月〜１２日の毎月の総積算量が好ましくは線グラフで表示される。線グラフに代えて棒グラフで表示してもよい。
【００５３】
グラフ表示に関し、週や半期、午前、午後という表示範囲、限定された時間幅（例えば３時間）を選択可能にしてもよい。表示範囲（時間幅）として週が選択されていれば、当該週の区分として各曜日の総積算量の履歴グラフとして棒グラフが表示される。棒グラフに代えて線グラフで表示してもよい。表示範囲（時間幅）として半期が選択されていれば、当該半期の各区分として各週つまり１〜２６週の各週の総積算量が棒グラフで表示される。棒グラフに代えて線グラフで表示してもよい。午前又は午後という表示範囲を選択したときには、区分として例えば３０分毎の総積算量が棒グラフで表示される。棒グラフに代えて線グラフで表示してもよい。例えば３時間という表示範囲（時間幅）が選択されたときには、区分として例えば１０分毎の総積算量が棒グラフで表示される。棒グラフに代えて線グラフで表示してもよい。
【００５４】
棒グラフを表示するか線グラフを表示するかは選択可能であってもよい。また、グラフ表示するか数値表示するかも選択可能であってもよい。また、グラフ表示と数値表示が切替え表示可能であってもよい。
【００５５】
現在時刻を含む日時区分とそれに連続する１又は複数の過去の日時区分を含む第１の表示範囲と、前記第１の表示範囲よりもの過去の連続する複数の日時区分を含む第２の表示範囲とを、流量測定の運転中に、切替え可能である。この切替え操作後に、各日時区分に対応する積算流量データが直ちにグラフ表示される。この第２の表示範囲の表示後、ユーザが何も操作しない期間が一定期間継続したときには、表示を、第１の表示範囲の表示に自動的に切り替えるようにしてもよい。
【００５６】
ヘッダ表示領域３８bには、複数の画面に亘って表示するのが都合の良い情報、図１２を参照して、例えば流量測定の安定性（スタビリティ）をグラフ表示又はバー表示、任意の文字列、例えばユーザが設定した文字列の表示、通信状態の表示に用いられる。
【００５７】
フッタ表示領域３８cは例えば操作ガイドを表示するのに用いられる。具体的な例を図１３に図示してある。例えば、画面設定はSETボタン４２bを意味する○形のアイコンが表示され、日付変更や月変更、年変更の操作は上下左右ボタン４２aの左右操作を意味する左右に向いた一対の三角形のアイコンが表示される。
【００５８】
図１４〜図１８は表示に関する具体例を示す。図１４は、瞬時流量（現在値）を表示する表示画面を示す。この表示画面を「シンプル画面」と呼ぶと、シンプル画面表示は、カラー液晶３８のメイン表示領域３８aに、瞬時流量（現在の流量値）の数値表示、例えば「5,258.71」が表示される。また、メイン表示領域３８aには、第１出力用のしきい値H1、L1と、第２出力用のしきい値H2,L2が数値表示される。この表示例では、各出力用のしきい値がH1とL1の２つも設けられているが、一つのしきい値であってもよい。
【００５９】
図示の表示例のようにしきい値がH、Lの2つの場合は、瞬時流量（現在値）がHとLの間のときにONするように設定されてもよく、その逆に、瞬時流量（現在の流量値）がHとLの間のときにOFFするように設定されてもよい。しきい値が1つの場合は、瞬時流量（現在の流量値）がしきい値を超えたときにONするように設定されてもよく、その逆に瞬時流量（現在の流量値）がしきい値を超えたときにOFFするように設定されてもよい。各出力毎にしきい値の設定、つまり2つのしきい値か又は1つのしきい値か、どの状態になったときにONするかの選択、しきい値の設定も可能であるのがよい。これらの選択や設定は、流量測定の運転中、メニューボタン４０、操作ボタン４２を操作することにより行うことができる。
【００６０】
ここに、測定状態の体積流量（実流量）の他に、標準状態における体積流量（ノルマル流量）や基準温度を20℃としたスタンダード流量などの換算流量を表示するかを選択可能であってもよく、これらの選択はメニューボタン４０，操作ボタン４２を操作することにより行うことができる。
【００６１】
メイン表示領域３８aに、更に、積算流量を数値表示するようにしてもよい。この積算流量を表示するか否かを選択可能であってもよい。ここに、積算流量は、外部からのトリガ入力やボタン入力によりリセット信号が入力された時点からの積算流量である。積算流量の代わりに使用量、リーク量を表示するか否かを選択可能であってもよい。これらの選択はメニューボタン４０，操作ボタン４２を操作することにより行うことができる。
【００６２】
ヘッダ表示領域３８bには、測定安定度（スタビリティ）表示灯を模したグラフ表示１１０が表示される。グラフ表示１１０に代えてバー表示であってもよい。このグラフ表示１１０によって流量測定が安定的にできているかの表示が行われる。
【００６３】
ヘッダ表示領域３８bには、更に、「通信Ａ」「通信Ｂ」の通信情報１１２が表示される。通信Ａは例えばＵＳＢ通信を意味し、通信Ｂは例えばIO-LINK通信を意味する。
【００６４】
ヘッダ表示領域３８bには、更に、ON/OFF出力表示灯１１４が表示される。図示の例では、第１出力用の表示灯１１４aと第２出力用の表示灯１１４bを含み、第１出力用表示灯１１４aがON状態、第２出力用表示灯１１４bがOFF状態にある。
【００６５】
各出力毎のしきい値の設定は、フッタ表示領域３８cに表示されているアイコン１１６に従ってメニューボタン４２を操作することでサブメニューを呼び出し、このサブメニューの中で設定することができる。
【００６６】
図１５以降の表示画面に説明において、共通の表示に関しては同じ参照符号を付すことによりその説明を省略する。図１５は、使用量の棒グラフと数値を同時に表示する画面を示す。ヘッダ表示領域３８bには、使用量の表示範囲（期間範囲）１１８が年月日で表示される。図１５に図示の画面は、「日」単位の場合を示している。ここに「２０１８」は年を意味し、「１０」は１０月を意味し、「１２」は１２日を意味している。表示が「月」単位の場合は「2018/10」と表示され、「年」単位の場合は「2018」と表示される。例えば、「週」単位の場合「2018/35-36週」のように表示するのがよい。この表示範囲（期間範囲）の設定つまり時間幅の設定は、フッタ表示領域３８cに表示のサブメニューのアイコン１１６に従ってメニューボタン４０を操作することによりサブメニューを選択し、これにより表示されるサブメニューの中から設定することができる。この設定変更は、流量測定の運転中に行うことができ、表示範囲の設定変更は積算流量のグラフ表示に直ちに反映される。サブメニューにおいて、例えば、「日」「月」「年」の選択肢が表示され、その３つの選択肢から１つを選択させるようにしてもよい。また、サブメニューにおいて、表示言語を複数の選択肢から一つを選択させるようにしてよい。
【００６７】
図１５は、上述したように表示範囲が「日」単位であり、区分は「時間」単位の場合を表示している。したがって棒グラフの各グラフは、時間単位で表示される。表示範囲内の各区分における使用量のうち最大の使用量に応じて棒グラフの目盛幅はオートスケーリングされる。
【００６８】
表示範囲が「月」単位の場合は、区分が「日」単位であり、表示範囲が「年」単位の場合は、区分が「月」単位となる。「週」単位の場合は、区分は「日」単位である。これら表示範囲つまり時間幅は、流量測定の運転中においても変更可能である。
【００６９】
図１５に図示の表示画面は、表示範囲の積算使用量（0時から現在時刻まで積算された流量）が数値表示される。すなわち、棒グラフで表示されている使用量の棒グラフで表示されている各使用量の総計が数値表示される。表示範囲が「月」単位であればその月の使用量総計が数値表示される。「年」単位であればその年の総使用量が数値表示される。表示範囲に現在時刻が含まれる場合には、使用量は（瞬時）流量に応じて、その数値は刻々と増えることになる。
【００７０】
メイン表示領域３８aに表示される使用量とは、各区分における流量の積算値（積算流量）を意味する。図１４を参照して説明した、「積算流量」はリセット信号入力時からの積算値である。図１５は、18時台の状態を示しており、18時台の棒グラフは、瞬時流量（現在の使用量）に応じて棒グラフが刻々と伸びる。他方、0時台から17時台の棒グラフ（0時から18時まで）は、過去の状態（使用量の履歴）を示すものである。好ましくは、履歴値と現在値（18時台の使用量）は色分けして表示するのがよい。
【００７１】
フッタ表示領域３８cには、日付変更のアイコン１２０が表示される。このアイコン１２０は左右に向いた一対の三角形で構成され、この一対の三角形のアイコン１２０が意味する操作ボタン４２の上下左右ボタン４２aの左右を操作することにより表示範囲（期間範囲）の日付を変更することができる。例えば、前日「2018/10/11」に変更すると、0時台から23時台まで（0時から24時まで）の全てにおいて過去の状態（使用量の履歴）が表示されることになる。
【００７２】
メイン表示領域３８aには、使用量以外に、使用量＋リーク量同時表示、リーク量表示などを選択することができる。この表示内容の選択は、サブメニューを選択し、サブメニューの中から表示項目を選択することにより行うことができる。
【００７３】
図１６に図示の表示画面は使用量を数値表示する。メイン表示領域３８aには、区分使用量と、表示範囲の積算使用量（0時から現在時刻まで積算された流量）とが共に数値表示される。
【００７４】
図１７に図示の表示画面は、第１表示範囲の使用量と第２表示範囲の使用量とを重畳表示した使用量比較グラフと、使用量比率の数値とが同時に表示される。使用量比較グラフは線グラフで表示され、比較対象となる線グラフの表示範囲において、現在時刻を含む表示範囲の場合には、まさにその日、その月、その年であるため、必ずしも表示しなくてよい。表示範囲の設定は、サブメニューを選択し、サブメニューの中から設定することができる。
【００７５】
この設定変更は、流量測定の運転中にユーザが操作部４２を操作しても、これが受け付けられて、表示範囲の設定変更が行われる。そして、これに対応したグラフ表示に変更される。そして、その後、ユーザの操作が無い期間が一定時間継続すると、元の表示範囲に自動的に切替えるようにしてもよい。
【００７６】
更に、第１表示範囲から第２表示範囲への設定の切替えの後に、ユーザの操作によって、第３表示範囲に切り替えられたとき、第１の表示範囲に対応する使用量グラフと、第３の表示範囲に対応する使用量グラフとを表示範囲の表示位置を揃えて比較表示するようにしてもよい。
【００７７】
使用量比較グラフにおいて、過去の特定の表示範囲における履歴使用量の線グラフと、現在時刻を含む表示範囲における使用量の線グラフとが重畳して表示される。すなわち、共通の軸（単位：ｍ3）に揃えて２種類の線グラフが表示される。比較対象となる線グラフをゴースト表示してもよい。使用量比較グラフは、表示範囲の開始から当該時刻までの使用量（0時から当該時刻まで積算された流量）を示すもので、区分使用量を積算したものに相当する。好ましくは、現在の位置を示す縦破線を表示するのがよい。また、各線グラフ上で現在の位置を示す縦破線（１８時台）と交差する点に○印を表示してもよい。
【００７８】
変形例として、異なる表示範囲の同一区分（同一相対区分：例えば18時台）を比較表示するようにしてもよい。また、操作ボタン４２を操作することにより、比較対象となる日付を変更することができるようにしてもよい。この場合にあっては、現在時刻を含む表示範囲と、変更後の比較対象との比較表示が行われることになる。
【００７９】
使用量比率は、異なる表示範囲の同一区分（同一相対区分：例えば18時台）の比率を表示できる。比較対象の同一区分における使用量を100としたときの現在使用量（0時から現在時刻まで積算された流量）を百分率で表示される。変形例として、比較対象の表示範囲におけるトータルの使用量（24時における使用量）を100とした時の現在使用量を百分率で表示してもよい。
【００８０】
この図１７の表示画面では使用量に関連した表示が行われるが、ユーザの操作によって（サブメニュー）、リーク量に関連した表示に切り替えることができる。このリーク量の表示においては、リーク量履歴比較グラフと、リーク量比率の数値とが同時に表示されることになる。
【００８１】
図１８の表示画面では、例えばループ配管におけるプラス方向マイナス方向の使用量の棒グラフと、その数値が同時に表示される。ここに、プラス方向の使用量の棒グラフ、図示の例では１時間の区分毎の積算使用量が棒グラフは、配管Ｐの軸線Ａｘに沿って第１の方向をプラス、第１の方向と逆方向をマイナスと定義して、プラス方向とマイナス方向とを別々に流量を積算したもののうちプラス方向の流量を意味し、マイナス方向の使用量の流量はマイナス方向の使用量の棒グラフで表示される。図示の表示例では、横軸（時間軸）に対して上方に位置する棒グラフはプラス方向の各時間毎の積算使用量を示し、下方に位置する棒グラフはマイナス方向の各時間毎の積算使用量を示す。
【００８２】
図１８の表示画面のメイン表示領域３８aに表示の使用量の数値表示に見られる「＋」はプラス方向において表示範囲での使用量総計つまり使用量の積算値であり、「−」はマイナス方向において表示範囲での使用量総計つまり使用量の積算値である。
【００８３】
プラス方向とマイナス方向の双方の使用量を個別に表示するのは、例えば、工場間での圧縮空気の受け渡しや、ループ配管のように正流（プラス方向）と逆流（マイナス方向）が存在し得る場合の管理に用いることができる。図１４〜図１８を参照して表示部４の表示デバイスつまりカラー液晶３８には、これを使って瞬時流量だけでなく、様々な情報をユーザに供給することができる。これによりユーザは表示データ又は情報を加工する必要無しに、カラー液晶３８に表示の情報を直接的に活用して合理的な且つ迅速な工場管理を実行することができる。
【００８４】
図１４〜図１８を参照して例示的に説明した異なる表示画面は、ユーザの選択により切り替えることができる。この表示切り替えに関して図１９を参照して説明する。図１９において、図６を参照して説明した要素と同じ要素には同じ参照符号が付してその説明を省略する。表示処理エンジン８８は、ユーザが操作部４２、４４（図８）を操作することによりカラー液晶３８の表示画面を切り替える処理を実行する。ロギングメモリ７４は先頭アドレスと実時間の時刻とを紐付けて各区分のデータが記憶されている。このことから、表示切り替えに伴って表示内容を変更する際に、過去のデータは各区分間の総積算流量の差分を演算し、また、現在のデータは、ロギングメモリ７４の最新値と総積算流量バッファ８４（図５）の値との差分を演算して、表示画面切り替え後の表示データを作成し、これを表示する。
【００８５】
なお、表示部４の操作部４２、４４の操作によって、外部ＰＣによることなく、容易に日付変更、表示範囲（時間幅）の変更、表示内容（リーク量、比較表示）の変更などを要求することができる。そして、ユーザは、操作部４２、４４の簡単な操作による設定によって、必要とする情報を表示部４のカラー液晶３８に表示させ、例えば使用量の管理などにとって有益な情報を取得することができる。
【００８６】
図２０〜図２２は表示画面の表示例を示す。図２０に図示の表示画面ではリーク量が表示される。具体的には、日時区分毎（図示の例では１時間毎）のリーク積算量が棒グラフ表示され、表示範囲の総リーク積算量が数値表示される。
【００８７】
表示処理エンジン８８（図５）は、総リーク積算量バッファ８６で保持された総リーク積算量とロギングメモリ７４に格納された時刻に紐づく総リーク積算量のうち最新の総リーク積算量とに基づき決定されるリーク積算量を、対応する日時区分の位置にグラフ表示する表示画面を生成する。
【００８８】
総リーク積算量バッファ８６（図５）で保持された総リーク積算量は時々刻々と更新され、表示処理エンジン８８は、更新された総リーク積算量に基づき、対応する日時区分の位置にグラフ表示する表示画面を生成する。総リーク積算量と表示画面が更新されることで、現在の日時区分で表示されるリーク積算量の棒グラフＧ1（図２０）は、更新に応じて時々刻々と伸びていく。
【００８９】
また、表示処理エンジン８８は、ロギングメモリ７４に格納された時刻に紐づく総リーク積算量のうち、表示範囲に対応する各日時区分の各総リーク積算量に基づき決定される各日時区分のリーク積算量を、例えば図２０の表示グラフの対応する日時区分の位置に棒グラフ表示する表示画面を生成する。この結果、過去の各日時区分に対応する各リーク積算量と、現在の日時区分に対応するリーク積算量とが、規則性高く同時に表示される。
【００９０】
周期性や規則性の高い日時区分で表示されるため、過去の状態との比較が容易になる。これにより、正常状態におけるリーク積算量の正確な値を把握していなかったとしても、過去の履歴の状態との定量的な比較が容易になるため、例えば圧縮空気等の気体の管理が容易になる。
【００９１】
フッタ表示領域３８cには、日付変更のアイコン１２０が表示される。このアイコン１２０は左右に向いた一対の三角形で構成され、この一対の三角形のアイコン１２０が意味する操作ボタン４２の上下左右ボタン４２aの左右を操作することにより表示範囲（期間範囲）の日付を変更することができる。例えば、前日「2018/10/11」に変更すると、0時台から23時台まで（0時から24時まで）の全てにおいて過去の状態（使用量の履歴）が表示されることになる。
【００９２】
つまり、表示処理エンジン８８は、ロギングメモリ７４に格納された時刻に紐づく総リーク積算量のうち、操作ボタン４２を介して指示された表示範囲（期間範囲）に対応する各日時区分の各総リーク積算量に基づき決定される各日時区分のリーク積算量を、対応する日時区分の位置にグラフ表示する表示画面を生成する。
【００９３】
この表示範囲（期間範囲）の設定つまり時間幅の設定は、フッタ表示領域３８cに表示のサブメニューのアイコン１１６に従ってメニューボタン４０を操作することによりサブメニューを選択し、これにより表示されるサブメニューの中から設定することができる。この設定変更は、流量測定の運転中に行うことができ、表示範囲の設定変更はリーク積算量のグラフ表示に直ちに反映される。サブメニューにおいて、例えば、「日」「月」「年」の選択肢が表示され、その３つの選択肢から１つを選択させるようにしてもよい。
【００９４】
図２１は、表示範囲の使用量と、各日時区分（図示の例では連続した１時間毎）に対応した使用量およびリーク積算量とを同時に表示する表示画面を示す。表示範囲の総使用量はメイン表示領域３８aの下部に数値表示される。各日時区分に対応した使用量は、メイン表示領域３８aの上部において、各日時区分に対応して、連続する１時間毎のリーク積算量を含む１本の棒グラフで色分けして表示される。表示範囲の使用量の数値は、メイン表示領域３８の上部に表示され、表示範囲の開始から当該時刻まで時間幅での使用量（0時から当該時刻まで積算された流量）を示すものであり、各日時区分に対応した使用量を積算したものに相当し、この使用量の推移は線グラフＬＧで表示される。
【００９５】
各日時区分に対応した使用量と重畳表示されるリーク積算量は、各日時区分におけるリーク流量の積算値であり、棒グラフで表示される。グラフ表示において、リーク積算量と使用量は共通のグラフ軸に揃えて表示され、好ましくは異なる色で表示される。すなわち、使用量とリーク積算量の重畳表示に関し、表示範囲を共通にしつつ表示範囲の一端の第１の縦軸を共通にして構成されている。
【００９６】
上述したように、表示処理エンジン８８は、総積算流量バッファ８４で保持された総積算流量と、ロギングメモリ７４に格納された時刻に紐づく総積算流量のうち最新の総積算流量とに基づき決定される使用量を、対応する日時区分の位置にグラフ表示し、総リーク積算量バッファ８６で保持された総リーク積算量と、ロギングメモリ７４に格納された時刻に紐づく総リーク積算量のうち最新の総リーク積算量とに基づき決定されるリーク積算量を、対応する日時区分の位置にグラフ表示する表示画面を生成する。
【００９７】
総積算流量バッファ８４で保持された総積算流量および総リーク積算量バッファ８６で保持された総リーク積算量は時々刻々と更新され、表示処理エンジン８８は、更新された総積算流量および総リーク積算量に基づき、対応する日時区分の位置にグラフ表示する表示画面を生成する。総積算流量、総リーク積算量および表示画面が更新されることで、現在の日時区分で表示される使用量およびリーク積算量の棒グラフは、更新に応じて時々刻々と伸びていく。
【００９８】
また、表示処理エンジン８８は、ロギングメモリ７４に格納された時刻に紐づく総積算流量のうち、表示範囲に対応する各日時区分の各総積算流量に基づき決定される各日時区分の使用量を、対応する日時区分の位置にグラフ表示し、ロギングメモリ７４に格納された時刻に紐づく総リーク積算量のうち、表示範囲に対応する各日時区分の各総リーク積算量に基づき決定される各日時区分のリーク積算量を、対応する日時区分の位置にグラフ表示する表示画面を生成する。この結果、過去の各日時区分に対応する各使用量および各リーク積算量と、現在の日時区分に対応する使用量およびリーク積算量とが、規則性高く同時に表示される。
【００９９】
線グラフＬＧ（図２１）表示される表示範囲の使用量は、予め目標となる使用量がユーザにより設定され、その目標の使用量を100とした時の百分率で表示され、一端の第１の縦軸ＶＬ1（単位：ｍ３）と他端の第２の縦軸ＶＬ2（単位：％）は異なる単位で構成される。目標となる使用量を表示するのが好ましく、この場合、目標使用量を例えば横破線で表示するのがよい。棒グラフで表示される各日時区分の使用量およびリーク積算量も同様に、使用量およびリーク積算量の目標値を横破線で表示してもよい。図２１において、Useは、使用量の目標値を示し、Leakはリーク積算量の目標値を示す。
【０１００】
表示範囲の使用量と、各日時区分の使用量およびリーク積算量とでは、単位の異なる２本の縦軸ＶＬ1、ＶＬ2を参照することになるが、異なる縦軸を参照する目標値を同時に表示してしまうと、どちらの縦軸を参照しているかを一見して把握することが困難となるおそれがある。そこで、百分率で表示される表示範囲の使用量に対する目標使用量は、第２の縦軸ＶＬ2の100の表示で代用し、目標使用量を超えたか否かで、表示範囲の使用量を示す線グラフＬＧの線の色を、目標使用量Useを境に上下で異ならせてもよい。この各日時区分の使用量およびリーク積算量と、各目標値の表示は異なる色を使うのが好ましい。
【０１０１】
メイン表示領域３８aの下部に数値表示される使用量は、表示範囲のトータルの使用量（0時から現在時刻まで積算された流量）であるのがよい。つまり、上部に表示されている使用量グラフの各使用量の総計が数値表示される。
【０１０２】
図２２の画面表示はリーク率である。リーク率とは、表示範囲におけるリーク量の使用量又は積算流量に対する割合を意味する。このリーク率は数値表示されると共に、円環状に使用量とリーク量との比を表示するのが好ましい。
【０１０３】
リーク量の算出は、次の手法により求めることができる。すなわち、流量を測定、測定された流量に基づいて流体不使用期間と流体使用期間とを判別し、流体不使用期間における流量に基づいて当該流体不使用期間のリーク量を決定したリーク量を総リーク量バッファ８６で一時的に保持する。なお、測定された流量に基づいて流体不使用期間と流体使用期間とを判別し、流体使用期間と判別したときは、総リーク量バッファ８６で保持されるリーク量を更新しない。
【０１０４】
流体不使用期間においては順次更新されるリーク量に基づきリーク積算量が求められ、流体使用期間においては当該流体使用期間の直前の流体不使用期間におけるリーク量に基づきリーク積算量が求められる。つまり、リーク量は、過去の流体不使用期間における流量に基づいて推定され、決定された流体不使用期間におけるリーク量と推定された流体使用期間のリーク量と各々の経過時間とに基づいてリーク積算量の算出が行われる。算出したリーク積算量は総リーク積算量バッファ８６で保持されている総リーク積算量を更新する。
【０１０５】
リーク量処理エンジン９２は、流体不使用期間と流体使用期間とを判別するための第１しきい値を設定することができ、測定された流量と第１しきい値とに基づいて流体不使用期間と流体使用期間とを判別することができる。また、リーク量が異常に多くなったときに、警報を発するようにしてもよく、警報を発する程のリーク量が発生したことを判別するために第２しきい値を設定するのがよい。
【０１０６】
図２０を参照して説明した表示画面において、表示範囲のリーク積算量と共にこれを費用に換算したときの金額を同時表示するのが好ましい。すなわち、圧縮空気のリークであれば、総リーク積算量の圧縮空気を生成するのに必要なコンプレッサの駆動電力に支払う経費を総リーク積算量と同時に表示するのがよい。費用に換算して表示することで、ユーザはリアリティを持って経済損失を実感することができ、リークに対する対策を急ぐことになるであろう。
【０１０７】
リーク量の決定に関し、例えば工場内の圧縮空気を駆動源とする装置の全てを停止し、その時に配管Ｐを圧縮空気が流れていれば、それはリークに起因すると推定できる。しかし、全ての装置を意図的に停止できる期間を確保するのは例えば深夜や休日に限られるなど、リーク量の検出及び推定は必ずしも容易でない。
【０１０８】
図２３は、一定の条件が成立したときに、基準となるリーク量を決定し、この決定したリーク量に基づいて、設備稼働中を含めた期間の総リーク積算量を算出するタイムチャートである。図２３を参照して概要を説明すると、一定の条件が成立したときリーク量決定モードに入る。一定の条件として、工場設備が休止状態に入ったとみなすことができるしきい値が設定されている。このリーク量決定モードは、次に工場設備が稼働するまで、つまり、一定の条件が成立しなくなるまで継続される。工場設備が稼働したと判別するための、第２の条件が設定されていてもよく、第２の条件に基づいて工場設備が稼働したと判別してもよい。リーク量決定モードで求めたリーク量は、リーク量決定モード期間中及びその直後の工場設備の稼働期間中のリーク積算量の算出に用いられる。好ましくは、前述した日時区分毎にリーク積算量を求め、区分毎のリーク積算量が表示される。工場設備の稼働期間中のリーク量として、上記のリーク量が相当するとしてリーク積算量を求めても良いし、工場設備の稼働期間中の配管Ｐの内圧を検出して、この内圧によって補正した値を使ってリーク積算量を求めてもよい。
【０１０９】
変形例として、リーク量の決定に関し、計測流量がリークしきい値を下回ったときに、圧縮空気が使用されていない状況つまり工場設備が休止状態に入ったと判断して、リークしきい値を下回っている期間（不使用期間）中、例えば所定の期間ごとに、例えば９０秒ごとに平均値を求め、この平均値をリーク量として順次更新して、次に、計測流量がリークしきい値を上回ってから下回るまで、最後に更新されたリーク量が発生しているとみなしてもよい。この場合も、リークしきい値に基づいて判別した不使用期間中に求めたリーク量に基づいて、この不使用期間中のリーク積算量及び当該不使用期間から使用期間に以降した後の工場設備の稼働期間中の日時区分毎のリーク積算量が求められ、これらの区分毎のリーク積算量が表示されるリーク量の算出に用いられる。好ましくは、前述した日時区分毎にリーク積算量を求め、区分毎のリーク積算量が表示される。この変形例においても、不使用期間中、所定の異常しきい値よりも順次更新されるリーク量が多くなったときには、何らかの異常が発生したとして、警報を出力するようにしてもよい。
【０１１０】
上記の自動的に行われるリーク量決定とは別に、外部からのタイミング入力に基づいてリーク量を決定する第２のリーク量決定モードを有していてもよい。第２のリーク量決定モード中、リーク量処理エンジン９２は、測定された流量に基づく流体不使用期間と流体使用期間との判別による自動的なリーク量の更新を中断する。第２のリーク量決定モード中、リーク量処理エンジン９２は、外部からのタイミング入力、例えば、外部機器からのトリガ信号やユーザからの操作部を介したモード変更指示に基づいて、この外部からのタイミング入力があったときに瞬時流量バッファ８２から取得した流量をリーク量として、総リーク積算量バッファ８６に送られ、総リーク積算量バッファで保持されるリーク量が更新される。第２のリーク量決定モードを終了すると、測定された流量に基づく流体不使用期間と流体使用期間との判別による自動的なリーク量の更新を実行する。
【０１１１】
上述したリーク量決定モードに関して図２３を参照して更に具体的に説明すると、計測した流量としきい値とに基づいて、計測流量がしきい値を下回ると第１リーク量決定モードに入る。計測流量がしきい値を上回ると第１リーク量決定モードが解除される。第１リーク量計測モード期間中、流量を計測し続けて、その平均値を第１基準リーク量BLa(1)として決定する。第１リーク量決定モードが解除された後の設備稼働第１期間中及び第１リーク計測モード期間中を含む第１リーク量算出期間でのリーク量は第１基準リーク量BLa(1)に基づいて算出される。以後、この処理が反復的に実行される。
【０１１２】
リーク量決定モード中、計測流量が異常に多くなったときには、つまり計測流量が異常検出しきい値を越えたときには警報を出力するようにしてもよい。
【０１１３】
図２４を参照して、リーク量決定モードでの処理を説明する。上記のしきい値に対して、通常の稼働下で圧縮空気を使用しているときには必ずこれより多い。このことから、通常の稼働下での圧縮空気の流量よりも少ない値をリークとみなすしきい値を設定する。このリークしきい値によって、工場設備が稼働している期間又は非稼働期間であるかに関わりなく、測定した流量に基づいて、圧縮空気が使用されているか否か、つまり工場設備が稼働中である否かを判別することができる。
【０１１４】
測定流量がリークしきい値を下回ったときには、圧縮空気が全く使用されていない状態に入った判断して、リーク量決定モードに入る。リーク量決定モードでは、リーク検出ディレー時間以上経過して流量が安定した段階で連続的に計測した複数の流量値を平均化して、この平均値がリーク流量BLaであると決定する。
【０１１５】
好ましくは、平均化する期間を予め定めておき、第１平均化時間での第１平均値（図２４に図示の「9.5」）をメモリに保存し、第２平均化時間での第２平均値（図２４に図示の「9.8」）でメモリ中の第１平均値を更新する。次に、第３平均化時間での第３平均値（図２４に図示の「9.6」）でメモリ中の第２平均値を更新する。各時間区分の第１乃至第３期間の第１乃至第３平均値はこれをグラフ化するのに用いることができる。リーク量決定モードが終了したら、リーク量決定モード中、更新し続けた平均値をリーク流量BLa(n)として設定する。リーク流量BLa(n)を時系列で更新し続けることで、現場稼働下の圧縮空気使用量に含まれる最も確からしいリーク量を求めることができる。この稼働中のリーク量は配管内圧や環境温度などで基準リーク流量BLa(n)を補正した値を採用してもよい。
【０１１６】
また、好ましくは、リーク流量BLa(n)に基づいてリークしきい値の値を更新してリークしきい値を最適化してもよい。すなわち、基準リーク流量BLa(n)が所定値よりも変化したときには、しきい値変更を指示し、この指示を受け付けたら、メモリに保存されているしきい値を更新してしきい値を変更するようにしてもよい。
【０１１７】
図２５のフローチャートに基づいて更に具体的に説明すると、ステップＳ１で瞬時流量つまり現在の流量を取得する。次のステップＳ２で、この瞬時流量がリークしきい値を下回っているかを判定し、ＮＯ（瞬時流量が多い）であれば、ステップＳ３に進んでディレー時間タイマ、平均流量、平均化時間タイマをリセットする。ステップＳ２においてＹＥＳであれば、瞬時流量が僅かであるとしてステップＳ４に進み、ディレー時間タイマがセットされているかを判定する。ディレー時間タイマのセット時間を例示すれば１分である。ステップＳ４においてＮＯであればステップＳ５に進んでディレー時間タイマをセットする。ステップＳ４において、ディレー時間タイマがセットされていれば、ステップＳ６に進んで、ディレー時間が経過したかを判定し、ディレー時間が経過したら、瞬時流量の値が落ち着いたとみなしてステップＳ７に進む。
【０１１８】
ステップＳ７において、平均流量がセットされているかを判定し、ＮＯであれば、ステップＳ８に進んで瞬時流量を平均流量としてセットさせると共に平均化時間タイマをセットする。平均化時間タイマのセット時間を例示すれば１分である。ステップＳ７において、ＹＥＳつまり平均流量がセットされていれば、ステップＳ９に進んで、この平均流量と瞬時流量から新たに平均流量を求め、この求めた平均流量を新たな平均流量としてセットする。次のステップＳ１０において、平均化時間を超えたかを判定し、ＹＥＳであれば、十分な平均化が実行できたとして、ステップＳ１１に進んで、リーク値が記憶されているかを判定し、ＮＯであれば、ステップＳ１２に進んでリーク値をメモリに記憶する。他方、ＹＥＳであれば、ステップＳ１４に進んで平均流量を、記憶されたリーク値として更新し、次いでステップＳ１３で平均流量をリセットすると共に平均化時間タイマをリセットする。
【０１１９】
上記の処理により、流量が僅かな値で安定しているときに、その平均値をリーク値としてみなし、これを順次更新することで、例えば深夜、確からしいリーク値を自動的に得ることができる。そして、このようにして求めたリーク値を上述した画面表示に使ってもよい。
【０１２０】
上述した流量計Ｆmは、常時電源が供給され且つＲＴＣ６８で時刻管理されたロギングメモリ７４を備えていることから、監視装置に対し、常時接続等の制約なく統合システムを構築することができる。
【０１２１】
図２６及び図４を参照して、監視装置として動作するＰＣ４６は、上記の流量計Ｆmを接続した産業通信ネットワーク、例えばＬＡＮに接続され、予め設定された監視画面設定データに基づいて、所望の流量計Ｆmから現在データを順次取得するとともに、ロギングメモリ７４に記憶している履歴データ及びＲＴＣ６８の時刻情報を取得し、取得した現在データ、履歴データ、予め設定された監視画面設定データに基づいて管理者が必要とする情報を含む監視画面を提供する。流量計Ｆmから取得される現在データおよび履歴データとして、瞬時流量、積算流量、使用量、積算流量、リーク量およびリーク積算量、あるいは、これらのデータを算出するためのデータ、例えば、総積算流量および総リーク積算量が含まれ、これらのデータのうち一または複数のデータが、流量計Ｆmから取得されるデータとして設定される。
【０１２２】
すなわち、過去データから順次更新される現在データまで各流量計Ｆmからのデータがマスターデータの役割を果たしている。これによりＰＣ４６は各流量計Ｆmに常時接続している必要はなく、また、測定時刻の管理を行う必要もない。
【０１２３】
監視装置として動作するＰＣ４６は、監視画面を編集及び作成するための設定モードと、監視画面設定モードで設定された設定データに基づいて監視画面を表示する運転モードとを有している。
【０１２４】
設定モードでは、ＰＣ４６は、監視画面を構成する表示部品の指定を受け付ける。例えば、ユーザによる表示部品としてグラフ表示部品の指定と、監視画面上の位置の指定を受け付けると、指定された監視画面上の位置にグラフ表示部品が配置される。このグラフ部品に対し、表示対象とする流量計Ｆmおよび表示対象とするデータの設定を受け付ける。例えば、表示対象とする流量計Ｆmのアドレス情報および表示対象とするデータとして使用量およびリーク量とする設定を受け付ける。ＰＣ４６は、複数の表示部品の指定を受付可能で、ユーザの指定に基づき各表示部品の設定を含む監視画面設定データを生成する。
【０１２５】
運転モードでは、ＰＣ４６は、監視画面設定データの各表示部品の設定に基づき表示対象とする流量計Ｆmの対象となるデータを取得する。対象となるデータが使用量およびリーク量の場合、表示対象とする流量計Ｆmからロギングメモリ７４に格納された時刻に紐づく総積算流量および総リーク積算量を取得するとともに、順次更新される総積算流量および総リーク積算量を例えば１ミリ秒毎に取得する。ＰＣ４６は、時刻に紐づく総積算流量および総リーク積算量と順次更新される総積算流量および総リーク積算量に基づき各時間区分毎の使用量を示す棒グラフを、監視画面設定データの各表示部品の設定に基づいて監視画面の設定された位置に表示する。前述した現在の時間区分に対応する棒グラフは、順次更新される総積算流量に応じて刻々と伸びる。
【０１２６】
つまり、ＰＣ４６は、監視画面上の設定された位置に表示されるグラフとして、ロギングメモリ７４に格納された時刻に紐づく総積算流量および総リーク積算量のうち、表示範囲に対応する各日時区分の各総積算流量および各総リーク積算量に基づき決定される各日時区分の使用量およびリーク積算量を、対応する日時区分の位置にグラフを表示する。この結果、過去の各日時区分に対応する各使用量および各リーク積算量と、現在の日時区分に対応する使用量およびリーク積算量とが、規則性高く同時に表示される。
【０１２７】
ＰＣ４６は、監視画面を構成する表示部品であるグラフ表示部品や比較表示部品のテンプレートを有している。例えば、グラフ表示部品のテンプレートは、定型化された各日時区分の幅や表示範囲（表示期間の幅）が予め設定されており、表示対象とする流量計Ｆmおよび表示対象とするデータの設定等の基本設定のみで、柄不表示部品の設定を完了させることができる。
【０１２８】
ＰＣ４６は、監視画面を構成する表示部品であるグラフ表示部品や比較表示部品に対し、設定モードで設定を受け付けるとともに、運転モードでも設定を受け付ける。
例えば、ＰＣ４６は、設定モードでグラフ表示部品に対し表示対象とする流量計Ｆmおよび表示対象とするデータの設定等の設定を受け付け、運転モードでグラフ表示部品に対し表示範囲（表示期間の幅）の設定を受け付ける。表示範囲としては、「日」「月」「日」の分解能の選択を受け付け、また、表示対象となる日付の選択を受け付ける。ＰＣ４６は、受け付けた設定／選択に基づき監視画面上に設定に従うグラフを表示する。
【０１２９】
監視用の専用プログラムは、ＰＣ４６にインストールされることで、ＰＣ４６は次の特徴を有する監視装置として機能する。
（１）グラフの生成を容易にするためのテンプレートを複数用意している。
（２）流量計Ｆmの表示や動作に関する流量計Ｆmの設定を行うことができる。
（３）ＰＣ４６で表示する表示範囲を日、月、年から選択可能である。
（４）ＰＣ４６側でユーザが選択した過去の任意な表示範囲あるいは現在を含む表示範囲においてＰＣ４６で比較表示可能である。
（５）ＰＣ４６において、リーク量に関する表示、リーク量と使用量との同時表示が可能である。
（６）ＰＣ４６においても、数値とグラフを同時に表示可能である。
（７）ＰＣ表示対象の流量計Ｆmを運用中、任意に変更することができる。
（８）ＰＣ表示画面の表示範囲は、ユーザが任意に設定することができる。この表示範囲は、運用期間中でも行うことが可能である。
【０１３０】
図２７は、ユーザが作成した監視画面で運転中のＰＣ画面表示の一例を示す。この監視画面ＰＣ４６で表示可能な画面の一例を示す。図２７に図示のＰＣ表示画面は、その中央に工場レイアウトの一部が表示され、表示の作図レイアウトは、ＡないしＣのラインに設置した３つ流量計Ｆmを含み、各流量計Ｆmに関して、各流量計Ｆmで計測した流量や現在の瞬時流量が１時間毎の棒グラフが表示され、また、表示範囲での使用量が線グラフで同時に表示されている。監視対象の各流量計Ｆmのグラフには、日付変更アイコン１２８が埋め込まれており、ユーザは、これを操作することにより、その前日、その翌日など日付の異なるグラフを表示させることができる。
【０１３１】
図２７に図示のＰＣ監視画面は、また、３つ流量計Ｆmの表示範囲での使用量が夫々線グラフで比較表示され、この比較表示には「３ラインの比較」のテキストが付記されている。また、図示のＰＣ監視画面は、更に、３つの流量計Ｆmの表示範囲での１時間毎の使用量が各時間毎に１本の統合棒グラフで色分けして表示され、このグラフ表示に「統合使用量」のテキストが付記されている。これら「３ラインの比較」、「統合使用量」のグラフには、上述した各流量計Ｆmのグラフ表示と同様に、日付変更アイコン１２８が埋め込まれており、ユーザは、これを操作することにより、ＰＣ４６はこれを受け付けて、監視画面は、その前日、その翌日というように日付の異なるグラフに変更表示される。
【０１３２】
監視対象の流量計Ｆmが複数の場合、これらを統合して表示する他の例を図２８に示す。図２８に図示のグラフ表示では、ユーザが選択した表示範囲において、１時間毎の各流量計Ｆmの棒グラフが横並びに比較表示され、また、好ましくは、各流量計Ｆmのしきい値が横ラインで表示される。例えば運用中、表示対象の流量計Ｆmの変更があった場合、これに対応して直ちに、監視画面において、変更後の流量計Ｆmの関するグラフ表示に変更される。
【０１３３】
図２９の表示画面では、ユーザが選択した表示範囲において、１時間毎に一本の棒グラフを色分けすることにより比較表示され、この表示例では、一つのユーザが選択した流量計Ｆmのしきい値が横ラインで表示される。
【０１３４】
前述した図５を参照して、専用アプリケーションによってＰＣ４６で実行される機能を説明すると、ＰＣ４６は、各流量計Ｆmからデータを受け付ける通信制御部１３０を有し、このＰＣ側通信制御部１３０は、各流量計Ｆmの通信制御部９２と初期通信及び定周期通信が行われる。初期通信では、ＰＣ４６が各流量計Ｆmのロギングメモリ７４のデータ及び図１９を参照して説明した表示検索及びロギングデータの編集に関する情報を取得するのに用いられる。定周期通信では、流量計ＦmのＲＴＣ６８の時刻情報に基づいて流量計Ｆmと同じタイミング及び１ミリ秒毎にＰＣ４６と各流量計Ｆmとの間で通信がおこなわれ、流量計Ｆmの更新データ及び瞬時流量データの読み込みが行われる。
【０１３５】
接続されている複数の流量計Ｆmから取得したデータ及び情報は、複製ロギングメモリ１３２に記憶され、また、複製バッファ１３４に一時的に保持される。表示画面生成部１３６は、複製ロギングメモリ１３２、複製バッファ１３４から、表示が求められている流量計Ｆmに関する表示画面を生成する。つまり、初期通信でＰＣ４６が各流量計Ｆmのロギングメモリ７４のデータを複製ロギングメモリ１３２に複製することで、複製ロギングメモリ１３２のデータに基づいてＰＣ監視画面を生成することができる。日付変更アイコン１３８が操作されることで、ＰＣ４６は、ＰＣ監視画面を、その前日、その翌日というように日付の異なるグラフに変更表示する際も、複製ロギングメモリ１３２のデータに基づいてＰＣ監視画面する。表示画面生成部１３６で生成された監視画面は、運転モード中、ＰＣ表示部１４４に表示される。
【０１３６】
図５の設定データ表示装置センサID１４２のサポートをお願いします。
【０１３７】
ＰＣ４６の読み込みが中断されたとき、例えばＰＣ４６の動作が停止されたとき、ＰＣ４６の動作が再開されると直ちに読み込みが実行され、複製ロギングメモリ１３２のデータ更新および複製瞬時流量バッファの更新が行われ、この更新は表示画面生成部１３６に反映されてＰＣ監視画面が更新される。
【０１３８】
ＰＣ専用プログラムは、前述したように定型化されたグラフを表示するためのテンプレートが用意されている。図３０は、テンプレート部位品の一例を示す。ユーザが、このテンプレート部位品を各流量計Ｆmに割り付けることで、表示対象の複数の流量計Ｆmの流量及び／又はリーク量をＰＣ表示で監視することができる。そして、この表示は、通信部１３０が各流量計Ｆmから更新データを受け付ける毎にグラフ表示が更新される。
【０１３９】
監視画面は、「分解能」１４６と称する表示範囲選択メニューが用意されている（図２７）。ユーザは分解能メニュー１４６を操作することにより「日」「月」「年」の一つを選択することができる。ユーザの表示範囲の変更をＰＣ４６が受け付けると、該当するグラフの表示範囲だけを変更するようにしてもよいが、監視画面に表示されている全てのグラフの表示範囲を一括して変更するようにしてもよい。表示範囲の変更は、運転モード中も可能であり、設定モードで設定された表示部品に対し、運転モード中も設定を可能とすることで、設定モードと運転モードとの行き来を削減することができる。
【０１４０】
図３１を参照して、設定モードにおいて、ユーザがＰＣ４６を使って監視画面を作成する編集機能を説明する。これらの図面は、図２７を参照して説明した監視画面と同じであり、図２７に図示の監視画面をユーザが編集するときの操作を含めて専用プログラムに含まれる編集機能を説明する。
【０１４１】
図３１を参照して、設定モードでは、ＰＣ４６は、監視画面を構成する表示部品の指定を受け付ける。表示部品として画像部品を配置したいときは、ユーザは画像取り込みメニュー１５４を操作する。ユーザによる表示部品として画像部品の指定と、監視画面上の位置の指定を受け付けると、指定された監視画面上の位置に画像部品が配置される。この画像部品に対し、割り当てる画像の選択を受け付け、選択された画像である工場レイアウト１５２が表示された画像部品が、指定された監視画面上の位置に画像部品が配置される。
【０１４２】
表示部品として引出線部品を配置したいときは、ユーザは引出線メニュー１５８を操作する。監視画面上の位置の指定を受け付けると、位置の指定に対応した位置と形状の引出線部品が監視画面上も配置される。
【０１４３】
表示部品としてグラフ表示部品を配置したいときは、ユーザはトータル消費メニュー１６０を操作する。ユーザによる表示部品としてグラフ表示部品の指定と、監視画面上の位置の指定を受け付けると、指定された監視画面上の位置にグラフ表示部品が配置される。このグラフ部品に対し、表示対象とする流量計Ｆmおよび表示対象とするデータの設定を受け付ける。例えば、表示対象とする流量計ＦmのＩＰアドレス情報および表示対象とするデータとして使用量とする設定を受け付ける。
【０１４４】
表示部品として比較表示部品を配置したいときは、ユーザは複数比較メニュー１６６を操作する。ユーザによる表示部品として比較表示部品の指定と、監視画面上の位置の指定を受け付けると、指定された監視画面上の位置に比較表示部品が配置される。この比較表示部品に対し、表示対象とする複数の流量計Ｆmおよび表示対象とするデータの設定を受け付ける。例えば、表示対象とする複数の流量計Ｆmの各ＩＰアドレス情報１４２（図５）および表示対象とするデータとして使用量とする設定を受け付ける。
【０１４５】
また、表示部品としてテキスト表示部品を配置したいときは、ユーザはテキストメニュー１６８を操作する。ユーザによる表示部品としてテキスト表示部品の指定と、監視画面上の位置の指定を受け付けると、指定された監視画面上の位置にテキスト表示部品が配置される。このテキスト表示部品に対し、表示するテキストの内容を受け付け、受け付けたテキストの内容が表示されたテキスト表示部品が、指定された監視画面上の位置に画像部品が配置される。テキストの内容として、文字列、数字、単位が含まれる。
【０１４６】
ＰＣ４６にインストール可能な専用プログラムは上述したように作図および編集機能を有し、例えば工場レイアウトを表示するのに必要な部品やテンプレートが用意されており、PC４６で任意に且つ容易にユーザが所望する監視画面を作成することができる。ＰＣ４６は、複数の表示部品の指定を受付可能で、ユーザの指定に基づき各表示部品の設定を含む監視画面設定データを生成する。
【０１４７】
以上、本発明をクランプオン型超音波式気体流量計に適用した好ましい実施例を説明したが、本発明はこれに限定されない。例えば、気体流量計は熱式流量計、渦式流量計などが知られている。これらの気体流量計に対しても本発明を好適に適用することができるだけでなく、液体を対象として流量計にも本発明を好適に適用することができる。
【符号の説明】
【０１４８】
Ｆm  クランプオン型超音波式気体流量計
Ｐ  配管
２  センサ本体
４  センサ本体に関連した表示部
６  第１の超音波素子
８  第２の超音波素子
４６  ＰＣ
６４  表示部のマイクロプロセッサ
６８  ＲＴＣ（リアルタイムクロック）
７０  バックアップバッテリ
７４  表示部のロギングメモリ
９２  流量計の通信制御部
１３０  ＰＣの通信制御部
１３２  ＰＣの複製ロギングメモリ
１３４  ＰＣの複製バッファ
１３６  ＰＣの表示画面生成部
１３８  ＰＣのテンプレート
１４０  ＰＣの表示画面編集部
１４４  ＰＣの表示部
【図１】
2020109359.tif 000003
【図２】
2020109359.tif 000004
【図３】
2020109359.tif 000005
【図４】
2020109359.tif 000006
【図５】
2020109359.tif 000007
【図６】
2020109359.tif 000008
【図７】
2020109359.tif 000009
【図８】
2020109359.tif 000010
【図９】
2020109359.tif 000011
【図１０】
2020109359.tif 000012
【図１１】
2020109359.tif 000013
【図１２】
2020109359.tif 000014
【図１３】
2020109359.tif 000015
【図１４】
2020109359.tif 000016
【図１５】
2020109359.tif 000017
【図１６】
2020109359.tif 000018
【図１７】
2020109359.tif 000019
【図１８】
2020109359.tif 000020
【図１９】
2020109359.tif 000021
【図２０】
2020109359.tif 000022
【図２１】
2020109359.tif 000023
【図２２】
2020109359.tif 000024
【図２３】
2020109359.tif 000025
【図２４】
2020109359.tif 000026
【図２５】
2020109359.tif 000027
【図２６】
2020109359.tif 000028
【図２７】
2020109359.tif 000029
【図２８】
2020109359.tif 000030
【図２９】
2020109359.tif 000031
【図３０】
2020109359.tif 000032
【図３１】
2020109359.tif 000033